【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報の管理方法であって、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示するステップと、
からなる情報処理装置における方法。
【請求項２】
作成したタグ名列データに登録したタグ名列を構成する各タグ名を、タグ名列ごとに分けた形で表示したキーワード選択手段上において、ユーザが検索キーワードとして選択したタグ名を含むタグ名列を登録したタグ名列データにおいて、登録されていたタグ名列を、選択されたタグ名から構成される新しいタグ名列によって置き換えるステップを備え、
全てのタグ名列データに登録されているタグ名列を、配置した表を表わす表データを作成する請求項１に記載の方法。
【請求項３】
情報に対する管理操作は、情報ごとに作成され、情報の種別ごとに定められたイメージ画像であるアイコンに対する装置画面上の操作としておこなわれる情報管理装置にあって、
情報のアイコンを配置する矩形であるセルがマトリクス状に配置され、その外部に、セルに配置される情報を特徴付けるタグ名が見出し語として配置される、表を用いた情報の管理方法であって、
情報を特徴づける名称であるタグ名の順序列であるタグ名列を得るステップと、
タグ名列に他のタグ名列の構成タグ名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定した関連タグ名を、情報を装置において特定するデータに対応付けるステップと、
複数のタグ名を定めた方法により関係付けた検索条件に対応して、その検索条件と特定の関係にある関連タグ名の組み合わせが対応付けられている情報を出力するステップと、
からなる情報処理装置における方法。
【請求項４】
１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットする請求項１、請求項２、請求項８に記載の方法。
【請求項５】
１つのタグ名列データについて、その条件データにセットされたタグ名と同じタグ名列に所属する別のタグ名を条件データとしてセットした別のタグ名列データが存在しない場合、該当のタグ名列データの条件データを、その参照によって選択されるタグ名列データが該当のタグ名列データ以外の全てのタグ名列データになる特定値にセットする請求項１、請求項２、請求項８に記載の方法。
【請求項６】
特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれる請求項１、請求項２、請求項８に記載の方法。
【請求項７】
条件データとして求められたパス名、ならびに、祖先タグ名集合を構成する各タグ名に対して、その所属タグ名列のタグ名列識別データを対応付けるステップと、
表上の各セルについて特定される関連タグ名を、その所属タグ名列を特定するタグ名列識別データに対応付けた関連データの集合を求めるステップと、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成するステップとを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力する請求項１、請求項２、請求項８に記載の方法。
【請求項８】
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定するステップと、
特定された関連タグ名の集合、並びに、変換対象先頭フォルダと変換対象先頭フォルダに含まれる全てのフォルダの全パス名とにもとづいて、情報の新しい全パス名を得るステップと、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成するステップ、
とからなる請求項３に記載の方法。
【請求項９】
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報管理装置であって、
情報のアイコンを配置する矩形であるセルがマトリクス状に配置され、その外部に、セルに配置される情報を特徴付けるタグ名が見出し語として配置される、表を用いた情報処理装置として、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成する手段と、  
各タグ名列データに対して、特定の値、または、その親フォルダ全パス名を構成するパス名の中から、特定の方法により選択したパス名を条件データとして付与する手段と、
各タグ名列を、その条件データを参照した特定方法にもとづいて見出し語として配置した表を表わす表データを作成する手段と、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示する手段と、
からなる情報管理装置。
【請求項１０】
作成したタグ名列データに登録したタグ名列を構成する各タグ名を、タグ名列ごとに分けた形で表示したキーワード選択手段上において、ユーザが検索キーワードとして選択したタグ名を含むタグ名列を登録したタグ名列データにおいて、登録されていたタグ名列を、選択されたタグ名から構成される新しいタグ名列によって置き換える手段を備え、
全てのタグ名列データに登録されているタグ名列を、検索キーワードとして選択したタグ名を他のタグ名と区別できる形で見出し語として配置した表を表わす表データを作成する請求項９に記載の装置。
【請求項１１】
情報に対する管理操作は、情報ごとに作成され、情報の種別ごとに定められたイメージ画像であるアイコンに対する装置画面上の操作としておこなわれる情報処理装置であって、
情報のアイコンを配置する矩形であるセルがマトリクス状に配置され、その外部に、セルに配置される情報を特徴付けるタグ名が見出し語として配置される、表を用いた情報の処理装置として、
情報を特徴づける名称であるタグ名の順序列であるタグ名列を得る手段と、
タグ名列に他のタグ名列の構成タグ名を条件データとして付与する手段と、
各タグ名列を、その条件データを参照した特定方法にもとづいて見出し語として配置した表を表わす表データを作成する手段と、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定する手段と、
特定した関連タグ名を、装置において情報を特定するデータに対応付ける手段と、
複数のタグ名を定めた方法により関係付けた検索条件に対応して、その検索条件と特定の関係にある関連タグ名の組み合わせが対応付けられている情報を出力する手段と、
からなる情報処理装置。
【請求項１２】
１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットする請求項９、請求項１０、請求項１６に記載の装置。
【請求項１３】
１つのタグ名列データについて、その条件データにセットされたタグ名と同じタグ名列に所属する別のタグ名を条件データとしてセットした別のタグ名列データが存在しない場合、
該当のタグ名列データの条件データを、その参照によって選択されるタグ名列データが該当のタグ名列データ以外の全てのタグ名列データになる特定値にセットする請求項９、請求項１０、請求項１６に記載の装置。
【請求項１４】
特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれる請求項９、請求項１０、請求項１６に記載の装置。
【請求項１５】
条件データとして求められたパス名、ならびに、祖先タグ名集合を構成する各タグ名に対して、その所属タグ名列のタグ名列識別データを対応付ける手段と、
表上の各セルについて特定される関連タグ名を、その所属タグ名列を特定するタグ名列識別データに対応付けた関連データの集合を求める手段と、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成する手段とを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力する請求項９、請求項１０、請求項１６に記載の装置。
【請求項１６】
装置内に保存されている１つのフォルダを変換対象先頭フォルダとして指定する操作を受けて、
指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成する手段と、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成する手段と、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定する手段と、
特定された関連タグ名の集合、並びに、変換対象先頭フォルダと変換対象先頭フォルダに含まれる全てのフォルダの全パス名とにもとづいて、情報の新しい全パス名を得る手段と、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成する手段、
とからなる請求項１１に記載の装置。
【請求項１７】
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される表を用いた情報の管理方法であって、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示するステップと、
からなる情報処理装置における方法をコンピュータによって実現させるための制御プログラム。
【請求項１８】
作成したタグ名列データに登録したタグ名列を構成する各タグ名を、タグ名列ごとに分けた形で表示したキーワード選択手段上において、ユーザが検索キーワードとして選択したタグ名を含むタグ名列を登録したタグ名列データにおいて、登録されていたタグ名列を、選択されたタグ名から構成される新しいタグ名列によって置き換えるステップを備え、
全てのタグ名列データに登録されているタグ名列を、配置した表を表わす表データを作成する請求項１７に記載の方法をコンピュータによって実現させるための制御プログラム。
【請求項１９】
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報の管理方法であって、
情報を特徴づける名称であるタグ名の順序列であるタグ名列を得るステップと、
タグ名列に他のタグ名列の構成タグ名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定した関連タグ名を、装置において情報を特定するデータに対応付けるステップと、
複数のタグ名を定めた方法により関係付けた検索条件に対応して、その検索条件と特定の関係にある関連タグ名の組み合わせが対応付けられている情報を出力するステップと、
からなる情報処理装置における方法コンピュータによって実現させるための制御プログラム
【請求項２０】
１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットする請求項１７、請求項１８、請求項２４に記載の方法をコンピュータによって実現させるための制御プログラム。
【請求項２１】
１つのタグ名列データについて、その条件データにセットされたタグ名と同じタグ名列に所属する別のタグ名を条件データとしてセットした別のタグ名列データが存在しない場合、該当のタグ名列データの条件データを、その参照によって選択されるタグ名列データが該当のタグ名列データ以外の全てのタグ名列データになる特定値にセットする請求項１７、請求項１８、請求項２４に記載の方法をコンピュータによって実現させるための制御プログラム。
【請求項２２】
特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれる請求項１７、請求項１８、請求項２４に記載の方法をコンピュータによって実現させるための制御プログラム。
【請求項２３】
条件データとして求められたパス名、ならびに、祖先タグ名集合を構成する各タグ名に対して、その所属タグ名列のタグ名列識別データを対応付けるステップと、
表上の各セルについて特定される関連タグ名を、その所属タグ名列を特定するタグ名列識別データに対応付けた関連データの集合を求めるステップと、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成するステップとを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力する請求項１７、請求項１８、請求項２４に記載の方法をコンピュータによって実現させるための制御プログラム。
【請求項２４】
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定するステップと、
特定された関連タグ名の集合、並びに、変換対象先頭フォルダと変換対象先頭フォルダに含まれる全てのフォルダの全パス名とにもとづいて、情報の新しい全パス名を得るステップと、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成するステップ、
とからなる請求項１９に記載の方法をコンピュータによって実現させるための制御プログラム。
【請求項２５】
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報の管理方法であって、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示するステップと、
からなる情報処理装置における方法をコンピュータによって実現させるための制御プログラムを格納した記憶媒体。
【請求項２６】
作成したタグ名列データに登録したタグ名列を構成する各タグ名を、タグ名列ごとに分けた形で表示したキーワード選択手段上において、ユーザが検索キーワードとして選択したタグ名を含むタグ名列を登録したタグ名列データにおいて、登録されていたタグ名列を、選択されたタグ名から構成される新しいタグ名列によって置き換えるステップを備え、
全てのタグ名列データに登録されているタグ名列を、配置した表を表わす表データを作成する請求項２５に記載の方法をコンピュータによって実現させるための制御プログラムを格納した記憶媒体。
【請求項２７】
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報の管理方法であって、
情報を特徴づける名称であるタグ名の順序列であるタグ名列を得るステップと、
タグ名列に他のタグ名列の構成タグ名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定した関連タグ名を、装置において情報を特定するデータに対応付けるステップと、
複数のタグ名を定めた方法により関係付けた検索条件に対応して、その検索条件と特定の関係にある関連タグ名の組み合わせが対応付けられている情報を出力するステップと、
からなる情報処理装置における方法をコンピュータによって実現させるための制御プログラムを格納した記憶媒体。
【請求項２８】
１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットする請求項２５、請求項２６、請求項３２に記載の方法をコンピュータによって実現させるための制御プログラムを格納した記憶媒体。
【請求項２９】
１つのタグ名列データについて、その条件データにセットされたタグ名と同じタグ名列に所属する別のタグ名を条件データとしてセットした別のタグ名列データが存在しない場合、該当のタグ名列データの条件データを、その参照によって選択されるタグ名列データが該当のタグ名列データ以外の全てのタグ名列データになる特定値にセットする請求項２５、請求項２６請求項３２に記載の方法をコンピュータによって実現させるための制御プログラムを格納した記憶媒体。
【請求項３０】
特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれる請求項２５、請求項２６、請求項３２に記載の方法をコンピュータによって実現させるための制御プログラムを格納した記憶媒体。
【請求項３１】
条件データとして求められたパス名、ならびに、祖先タグ名集合を構成する各タグ名に対して、その所属タグ名列のタグ名列識別データを対応付けるステップと、
表上の各セルについて特定される関連タグ名を、その所属タグ名列を特定するタグ名列識別データに対応付けた関連データの集合を求めるステップと、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成するステップとを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力する請求項２５、請求項２６、請求項３２に記載の方法をコンピュータによって実現させるための制御プログラムを格納した記憶媒体。
【請求項３２】
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定するステップと、
特定された関連タグ名の集合、並びに、変換対象先頭フォルダと変換対象先頭フォルダに含まれる全てのフォルダの全パス名とにもとづいて、情報の新しい全パス名を得るステップと、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成するステップ、
とからなる請求項１９に記載の方法をコンピュータによって実現させるための制御プログラムを格納した記憶媒体。
【手続補正２】
【補正対象書類名】明細書
【補正対象項目名】０００８
【補正方法】変更
【補正の内容】
【０００８】
上記の目的を達成するために、請求項１に記載の発明による情報処理装置における方法は、
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される表上への情報の出力方法であって、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示するステップと、
からなることを特徴とする。
【手続補正３】
【補正対象書類名】明細書
【補正対象項目名】００１０
【補正方法】変更
【補正の内容】
【００１０】
上記の目的を達成するために、請求項３に記載の発明による情報処理装置における方法は、
情報に対する管理操作は、情報ごとに作成され、情報の種別ごとに定められたイメージ画像であるアイコンに対する装置画面上の操作としておこなわれる情報管理装置にあって、
情報のアイコンを配置する矩形であるセルがマトリクス状に配置され、その外部に、セルに配置される情報を特徴付けるタグ名が見出し語として配置される、表を用いた情報の管理方法であって、
情報を特徴づける名称であるタグ名の順序列であるタグ名列を得るステップと、
タグ名列に他のタグ名列の構成タグ名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定した関連タグ名を、情報を装置において特定するデータに対応付けるステップと、
複数のタグ名を定めた方法により関係付けた検索条件に対応して、その検索条件と特定の関係にある関連タグ名の組み合わせが対応付けられている情報を出力するステップと、
からなることを特徴とする。
【手続補正４】
【補正対象書類名】明細書
【補正対象項目名】００１１
【補正方法】変更
【補正の内容】
【００１１】
請求項４に記載の発明による情報処理装置における方法は、請求項１、請求項２請求項８に記載の方法において、１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットすることを特徴とする。
【手続補正５】
【補正対象書類名】明細書
【補正対象項目名】００１２
【補正方法】変更
【補正の内容】
【００１２】
請求項５に記載の発明による情報処理装置における方法は、請求項１、請求項２請求項８に記載の方法において、１つのタグ名列データについて、その条件データにセットされたタグ名と同じタグ名列に所属する別のタグ名を条件データとしてセットした別のタグ名列データが存在しない場合、
該当のタグ名列データの条件データを、その参照によって選択されるタグ名列データが該当のタグ名列データ以外の全てのタグ名列データになる特定値にセットすることを特徴とする。
【手続補正６】
【補正対象書類名】明細書
【補正対象項目名】００１３
【補正方法】変更
【補正の内容】
【００１３】
請求項６に記載の発明による情報処理装置における方法は、請求項１、請求項２請求項８に記載の方法において、特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれることを特徴とする。
【手続補正７】
【補正対象書類名】明細書
【補正対象項目名】００１４
【補正方法】変更
【補正の内容】
【００１４】
請求項７に記載の発明による情報処理装置における方法は、請求項１、請求項２、請求項８に記載の方法において、条件データとして求められたパス名、ならびに、祖先タグ名集合を構成する各タグ名に対して、その所属タグ名列のタグ名列識別データを対応付けるステップと、
表上の各セルについて特定される関連タグ名を、その所属タグ名列を特定するタグ名列識別データに対応付けた関連データの集合を求めるステップと、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成するステップとを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力することを特徴とする。
【手続補正８】
【補正対象書類名】明細書
【補正対象項目名】００１５
【補正方法】変更
【補正の内容】
【００１５】
請求項８に記載の発明による情報処理装置における方法は、請求項３に記載の方法において、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定するステップと、
特定された関連タグ名の集合、並びに、変換対象先頭フォルダと変換対象先頭フォルダに含まれる全てのフォルダの全パス名とにもとづいて、情報の新しい全パス名を得るステップと、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成するステップ、
とからなることを特徴とする。
【手続補正９】
【補正対象書類名】明細書
【補正対象項目名】００１６
【補正方法】変更
【補正の内容】
【００１６】
請求項９に記載の発明による情報処理装置は、アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報管理装置であって、
情報のアイコンを配置する矩形であるセルがマトリクス状に配置され、その外部に、セルに配置される情報を特徴付けるタグ名が見出し語として配置される表を用いた情報の処理装置として、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成する手段と、  
各タグ名列データに対して、特定の値、または、その親フォルダ全パス名を構成するパス名の中から、特定の方法により選択したパス名を条件データとして付与する手段と、
各タグ名列を、その条件データを参照した特定方法にもとづいて見出し語として配置した表を表わす表データを作成する手段と、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示する手段と、
からなることを特徴とする。
【手続補正１０】
【補正対象書類名】明細書
【補正対象項目名】００１８
【補正方法】変更
【補正の内容】
【００１８】
請求項１１に記載の発明による情報処理装置は、請求項９、請求項１０に記載の装置において、
情報に対する管理操作は、情報ごとに作成され、情報の種別ごとに定められたイメージ画像であるアイコンに対する装置画面上の操作としておこなわれる情報処理装置であって、
情報のアイコンを配置する矩形であるセルがマトリクス状に配置され、その外部に、セルに配置される情報を特徴付けるタグ名が見出し語として配置される、表を用いた情報の処理装置として、
情報を特徴づける名称であるタグ名の順序列であるタグ名列を得る手段と、
タグ名列に他のタグ名列の構成タグ名を条件データとして付与する手段と、
各タグ名列を、その条件データを参照した特定方法にもとづいて見出し語として配置した表を表わす表データを作成する手段と、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定する手段と、
特定した関連タグ名を、装置において情報を特定するデータに対応付ける手段と、
複数のタグ名を定めた方法により関係付けた検索条件に対応して、その検索条件と特定の関係にある関連タグ名の組み合わせが対応付けられている情報を出力する手段と、
からなることを特徴とする。
【手続補正１１】
【補正対象書類名】明細書
【補正対象項目名】００１９
【補正方法】変更
【補正の内容】
【００１９】
請求項１２に記載の発明による情報処理装置は、請求項９、請求項１０、請求項１１、請求項１９に記載の装置において、１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットすることを特徴とする。
【手続補正１２】
【補正対象書類名】明細書
【補正対象項目名】００２０
【補正方法】変更
【補正の内容】
【００２０】
請求項１３に記載の発明による情報処理装置は、請求項９、請求項１０請求項１９に記載の装置において、１つのタグ名列データについて、その条件データにセットされたタグ名と同じタグ名列に所属する別のタグ名を条件データとしてセットした別のタグ名列データが存在しない場合、
該当のタグ名列データの条件データを、その参照によって選択されるタグ名列データが該当のタグ名列データ以外の全てのタグ名列データになる特定値にセットすることを特徴とする。
【手続補正１３】
【補正対象書類名】明細書
【補正対象項目名】００２１
【補正方法】変更
【補正の内容】
【００２１】
請求項１４に記載の発明による情報処理装置は、請求項９、請求項１０、請求項１９に記載の装置において、特定の条件により選択したタグ名列を配置した２つの見出し語欄を、各々、表の最上位行と最左列の列に配置した後、タグ名列の表上への配置が、配置された
見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれることを特徴とする。
【手続補正１４】
【補正対象書類名】明細書
【補正対象項目名】００２２
【補正方法】変更
【補正の内容】
【００２２】
請求項１５に記載の発明による情報処理装置は、請求項９、請求項１０、請求項１９に記載の装置において、条件データとして求められたパス名、ならびに、祖先タグ名集合を構成する各タグ名に対して、その所属タグ名列のタグ名列識別データを対応付ける手段と、
表上の各セルについて特定される関連タグ名を、その所属タグ名列を特定するタグ名列識別データに対応付けた関連データの集合を求める手段と、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成する手段とを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力することを特徴とする。
【手続補正１５】
【補正対象書類名】明細書
【補正対象項目名】００２３
【補正方法】変更
【補正の内容】
【００２３】
請求項１６に記載の発明による情報処理装置は、請求項１１に記載の装置において、
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報管理装置であって、
情報のアイコンを配置する矩形であるセルがマトリクス状に配置され、その外部に、セルに配置される情報を特徴付けるタグ名が見出し語として配置される表上への情報の出力装置として、
装置内に保存されている１つのフォルダを変換対象先頭フォルダとして指定する操作を受けて、
指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成する手段と、  
各タグ名列データに対して、特定の値、または、その親フォルダ全パス名を構成するパス名の中から、特定の方法により選択したパス名を条件データとして付与する手段と、
各タグ名列を、その条件データを参照した特定方法にもとづいて見出し語として配置した表を表わす表データを作成する手段と、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定する手段と、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定する手段と、
特定された関連タグ名の集合、並びに、変換対象先頭フォルダと変換対象先頭フォルダに含まれる全てのフォルダの全パス名とにもとづいて、情報の新しい全パス名を得る手段と、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成する手段、
とからなることを特徴とする。
【手続補正１６】
【補正対象書類名】明細書
【補正対象項目名】００２４
【補正方法】変更
【補正の内容】
【００２４】
上記の目的を達成するために、請求項１７に記載の発明による情報処理装置における方法をコンピュータによって実現させるための制御プログラムは、
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いる情報管理方法であって、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示するステップと、
からなることを特徴とする。
【手続補正１７】
【補正対象書類名】明細書
【補正対象項目名】００２６
【補正方法】変更
【補正の内容】
【００２６】
上記の目的を達成するために、請求項１９に記載の発明による情報処理装置における方法をコンピュータによって実現させるための制御プログラムは、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報の管理方法であって、
情報を特徴づける名称であるタグ名の順序列であるタグ名列を得るステップと、
タグ名列に他のタグ名列の構成タグ名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定した関連タグ名を、装置において情報を特定するデータに対応付けるステップと、
複数のタグ名を定めた方法により関係付けた検索条件に対応して、その検索条件と特定の関係にある関連タグ名の組み合わせが対応付けられている情報を出力するステップと、
からなることを特徴とする。
【手続補正１８】
【補正対象書類名】明細書
【補正対象項目名】００２７
【補正方法】変更
【補正の内容】
【００２７】
上記の目的を達成するために、請求項２０に記載の発明による情報処理装置における方法をコンピュータによって実現させるための制御プログラムは、請求項１７、請求項１８、請求項２４に記載の方法において、
１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットすることを特徴とする。
【手続補正１９】
【補正対象書類名】明細書
【補正対象項目名】００２８
【補正方法】変更
【補正の内容】
【００２８】
上記の目的を達成するために、請求項２１に記載の発明による情報処理装置における方法をコンピュータによって実現させるための制御プログラムは、請求項１７、請求項１８、請求項２４に記載の方法において、
１つのタグ名列データについて、その条件データにセットされたタグ名と同じタグ名列に所属する別のタグ名を条件データとしてセットした別のタグ名列データが存在しない場合、
該当のタグ名列データの条件データを、その参照によって選択されるタグ名列データが該当のタグ名列データ以外の全てのタグ名列データになる特定値にセットすることを特徴とする。
【手続補正２０】
【補正対象書類名】明細書
【補正対象項目名】００２９
【補正方法】変更
【補正の内容】
【００２９】
上記の目的を達成するために、請求項２２に記載の発明による情報処理装置における方法をコンピュータによって実現させるための制御プログラムは、請求項１７、請求項１８、請求項２４に記載の方法において、
特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれることを特徴とする。
【手続補正２１】
【補正対象書類名】明細書
【補正対象項目名】００３０
【補正方法】変更
【補正の内容】
【００３０】
上記の目的を達成するために、請求項２３に記載の発明による情報処理装置における方法をコンピュータによって実現させるための制御プログラムは、請求項１７、請求項１６、請求項２４に記載の方法において、条件データとして求められたパス名、ならびに、祖先タグ名集合を構成する各タグ名に対して、その所属タグ名列のタグ名列識別データを対応付けるステップと、
表上の各セルについて特定される関連タグ名を、その所属タグ名列を特定するタグ名列識別データに対応付けた関連データの集合を求めるステップと、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成するステップとを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力する請求項１７、請求項２２に記載の方法をコンピュータによって実現させるための制御プログラム。
【手続補正２２】
【補正対象書類名】明細書
【補正対象項目名】００３１
【補正方法】変更
【補正の内容】
【００３１】
上記の目的を達成するために、請求項２４に記載の発明による情報処理装置における方法をコンピュータによって実現させるための制御プログラムは、請求項１９に記載の方法において、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表データにもとづいて表示された表上の1つのセルに情報を保存する特定操作を受けて、配置されている各タグ名列を構成するタグ名の中、該当のセルに対して特定の位置関係に配置されているタグ名である関連タグ名を特定するステップと、
特定された関連タグ名の集合、並びに、変換対象先頭フォルダと変換対象先頭フォルダに含まれる全てのフォルダの全パス名とにもとづいて、情報の新しい全パス名を得るステップと、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成するステップ、
とからなることを特徴とする。
【手続補正２３】
【補正対象書類名】明細書
【補正対象項目名】００３２
【補正方法】変更
【補正の内容】
【００３２】
上記の目的を達成するために、請求項２５に記載の発明による情報処理装置における方法をコンピュータによって実現させるための制御プログラムを格納した記憶媒体は、
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報処理方法であって、
装置内に保存されている１つのフォルダを変換対象先頭フォルダとして指定する操作を受けて、指定したフォルダに格納される各フォルダについて、そのフォルダが親フォルダとして直接に格納する子フォルダの名称の順序列である子フォルダ名列を求めた上、同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表上のセルについて、該当セルに特定の位置関係に配置されているタグ名である関連タグ名の集合と特定の関係にある全パス名を持つ情報を特定した上、表データにもとづく表を、特定した情報のアイコンを該当するセルに関係付けた形で表示するステップと、
からなることを特徴とする。
【手続補正２４】
【補正対象書類名】明細書
【補正対象項目名】００３４
【補正方法】変更
【補正の内容】
【００３４】
上記の目的を達成するために、請求項２７に記載の発明による情報処理装置における方法をコンピュータによって実現させるための制御プログラムを格納した記憶媒体は、
情報に対する管理操作は、情報ごとに作成され、情報の種別ごとに定められたイメージ画像であるアイコンに対する装置画面上の操作としておこなわれる情報処理装置にあって、
情報のアイコンを配置する矩形であるセルがマトリクス状に配置され、その外部に、セルに配置される情報を特徴付けるタグ名が見出し語として配置される、表を用いた情報の管理方法であって、
情報を特徴づける名称であるタグ名の順序列であるタグ名列を得るステップと、
タグ名列に他のタグ名列の構成タグ名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定した関連タグ名を、装置において情報を特定するデータに対応付けるステップと、
複数のタグ名を定めた方法により関係付けた検索条件に対応して、その検索条件と特定の関係にある関連タグ名の組み合わせが対応付けられている情報を出力するステップと、
からなることを特徴とする。
【手続補正２５】
【補正対象書類名】明細書
【補正対象項目名】００３５
【補正方法】変更
【補正の内容】
【００３５】
上記の目的を達成するために、請求項２８に記載の発明による情報処理装置における方法をコンピュータによって実現させるための制御プログラムを格納した記憶媒体は、請求項２５、請求項２６、請求項３２に記載の方法において、１つのタグ名列の親フォルダ全パス名を構成するパス名の中、そのパス名と同じタグ名列に所属するパス名が、該当の親フォルダ全パス名を構成する他のパス名の中に存在しない場合、そのパス名を該当タグ名列データの条件データとしてセットすることを特徴とする。
【手続補正２６】
【補正対象書類名】明細書
【補正対象項目名】００３６
【補正方法】変更
【補正の内容】
【００３６】
上記の目的を達成するために、請求項２９に記載の発明による情報処理装置における方法をコンピュータによって実現させるための制御プログラムを格納した記憶媒体は、請求項２５、請求項２６、請求項３２に記載の方法において、１つのタグ名列データについて、その条件データにセットされたタグ名と同じタグ名列に所属する別のタグ名を条件データとしてセットした別のタグ名列データが存在しない場合、該当のタグ名列データの条件データを、その参照によって選択されるタグ名列データが該当のタグ名列データ以外の全てのタグ名列データになる特定値にセットすることを特徴とする。
【手続補正２７】
【補正対象書類名】明細書
【補正対象項目名】００３７
【補正方法】変更
【補正の内容】
【００３７】
上記の目的を達成するために、請求項３０に記載の発明による情報処理装置における方法をコンピュータによって実現させるための制御プログラムを格納した記憶媒体は、請求項２５、請求項２６、請求項３２に記載の方法において、特定の条件により選択したタグ名列を配置した２つの見出し語欄を、各々、表の最上位行と最左列の列に配置した後、タグ名列の表上への配置が、配置された見出し語欄内に配置される各タグ名ごとに、そのタグ名を親タグ名として選択したタグ名列を配置した子見出し語欄を、該当の見出し語欄が配置された次の下位の行、または列に所定の方法にしたがって設けることを繰り返す形でおこなわれ、
１つの親タグ名ごとのタグ名列の選択が、その条件データが、該当タグ名が配置された見出し語欄が設けられるまでに上記タグ名列選択の繰り返しにおいて係わった親タグ名の集合である祖先タグ名集合に対して特定の関係にあるタグ名列の中から特定の方法によっておこなわれることを特徴とする。
【手続補正２８】
【補正対象書類名】明細書
【補正対象項目名】００３８
【補正方法】変更
【補正の内容】
【００３８】
上記の目的を達成するために、請求項３１に記載の発明による情報処理装置における方法をコンピュータによって実現させるための制御プログラムを格納した記憶媒体は、請求項２５、請求項２６、請求項３２に記載の方法において、条件データとして求められたパス名、ならびに、祖先タグ名集合を構成する各タグ名に対して、その所属タグ名列のタグ名列識別データを対応付けるステップと、
表上の各セルについて特定される関連タグ名を、その所属タグ名列を特定するタグ名列識別データに対応付けた関連データの集合を求めるステップと、
１つのファイル情報を格納する階層上位のフォルダである上位フォルダの各々について、その親フォルダの全パス名と同じ親フォルダ全パス名を登録したタグ名列データを特定した上、特定したタグ名列データのタグ名列識別データと該当する上位フォルダのフォルダ名称とを対応付けた情報属性データを作成するステップとを備え、
タグ名列の表上への配置において、１つの親タグ名ごとに順次におこなわれるタグ名列の選択が、タグ名列識別データを対応付けた条件データが、祖先タグ名集合を構成する各タグ名に対してタグ名列識別データを対応付けて得られる祖先関連データ集合に対して特定の関係にあるタグ名列の選択としておこなわれ、
選択されたタグ名列にもとづいて作成された表上において、該当のファイル情報について得られた情報属性データの集合に対して、第２の特定の関係にある関連データの集合が特定されるセルに、該当のファイル情報のアイコンを関係付けて出力することを特徴とする。
【手続補正２９】
【補正対象書類名】明細書
【補正対象項目名】００３９
【補正方法】変更
【補正の内容】
【００３９】
上記の目的を達成するために、請求項３２に記載の発明による情報処理装置における方法をコンピュータによって実現させるための制御プログラムを格納した記憶媒体は、
アプリケーションが作成する情報であるファイル情報は、装置が用意するフォルダに格納され、フォルダは、１つのフォルダが別のフォルダである親フォルダの中に子フォルダとして格納されることが繰り返される階層構造の形で管理された上、      
ファイル情報とフォルダからなる情報の特定は、格納される各フォルダの名称であるパス名と自身の名称を、階層構造において占める順序に従って特定の方法によって連結した全パス名によっておこなわれ、
情報に対する管理操作は、情報ごとに作成され、情報の種別ごとに定められたイメージ画像であるアイコンに対する装置画面上の操作としておこなわれる情報管理装置にあって、
情報のアイコンを配置する矩形であるセルがマトリクス状に配置され、その外部に、セルに配置される情報を特徴付けるタグ名が見出し語として配置される表上への情報の出力方法であって、
装置内に保存されている１つのフォルダを変換対象先頭フォルダとして指定する操作を受けて、
指定したフォルダに格納される各フォルダについて、そのフォルダが親フォルダとして直接に格納する子フォルダの名称の順序列である子フォルダ名列を求めた上、
同じ子フォルダの名称を共有する子フォルダ名列をマージして得られるタグ名列を、マージ元の各子フォルダ名列の親フォルダの全パス名である親フォルダ全パス名と対応付けたタグ名列データを作成するステップと、  
各タグ名列データに対して、特定の値、または、その親フォルダ全パス名を構成するパス名の中から、特定の方法により選択したパス名を条件データとして付与するステップと、
各タグ名列を、その条件データを参照した特定方法にもとづいて見出し語として配置した表を表わす表データを作成するステップと、
表データにもとづいて表示された表上の1つのセルに情報を対応付ける特定操作を受けて、配置されている各タグ名列を構成するタグ名の中、該当のセルに対して特定の位置関係に配置されているタグ名である関連タグ名を特定するステップと、
特定された関連タグ名の集合、並びに、変換対象先頭フォルダと変換対象先頭フォルダに含まれる全てのフォルダの全パス名とにもとづいて、情報の新しい全パス名を得るステップと、
特定された関連タグ名の集合、または、得られた全パス名にもとづいて、情報のアイコンを保存先セルに対応付けて表示する一方、
得られた全パス名を構成する各パス名の中、該当するフォルダが存在しないフォルダについて該当するフォルダを作成するステップ、
とからなることを特徴とする。
【手続補正３０】
【補正対象書類名】明細書
【補正対象項目名】００４３
【補正方法】変更
【補正の内容】
【００４３】
本方法によれば、さらに、情報を表上の１つセルに対応付ける操作によって、表上の該当する見出し語による情報へのタグ付けが自動的におこなわれ、このように楽にタグ付けがおこなわれた情報は、広く、タグ名の組み合わせを入力とする検索によって取り出すことができる。また、その表がフォルダトゥリーに基づいて作成されている場合には、その情報を格納するフォルダがそのフォルダトゥリー内にない場合、該当のフォルダが自動的に作成された上、その情報は格納されるので、情報の保存ごとに、いちいち情報を格納するフォルダの増設をおこなう必要がなくなる。